(57)【要約】【課題】ランプユニットの出射光がケーシングの排気孔を経てケーシング外部に漏れることを確実に防止する。【解決手段】本発明に係るプロジェクタ装置において、複数枚の第1遮光板56を一定のピッチで配列した第１遮光部材55と、複数枚の第２遮光板64を一定のピッチで配列した第２遮光部材６とを具え、第1遮光板56の間隙及び第２遮光板64の間隙に空気通路が形成されており、各第２遮光板64が有する平板状の傾斜部は、各第1遮光板56が有する平板状の傾斜部とは逆向きの所定の傾斜角度を有し、ランプユニットからケーシングの排気孔に向けて放射される全方位の光が第1遮光板56と第２遮光板64によって遮られる。【選択図】図１２
2007298892.tif 000002
【特許請求の範囲】
【請求項１】
ケーシング(１)内に、ランプユニット(４)と、該ランプユニット(４)を光源として映像光を生成し、生成した映像光をスクリーンに向けて投射する光学系とを具え、前記ケーシング(１)の壁面には、ランプユニット(４)と対向して、通気孔が開設されているプロジェクタ装置において、
前記ランプユニット(４)が対向するケーシング(１)の壁面には、前記通気孔を覆って遮光機構(９)が設置され、該遮光機構(９)は、前記通気孔の貫通方向に互いに近接して配置された第１遮光部材(55)と第２遮光部材(６)から構成され、第１遮光部材(55)は、前記通気孔の貫通方向と略直交して同一方向へ伸びる複数枚の第1遮光板(56)を一定のピッチで配列し、これら第1遮光板(56)の間隙に空気通路を形成して構成され、第２遮光部材(６)は、前記第１遮光板(56)と同一方向に伸びる複数枚の第２遮光板(64)を前記第１遮光板(56)と同一のピッチで配列し、これら第２遮光板(64)の間隙に空気通路を形成して構成され、各第1遮光板(56)は、前記壁面に対して所定の傾斜角度を有する平板状の傾斜部を具える一方、各第２遮光板(64)は、前記壁面に対して前記第1遮光板(56)の傾斜部とは逆向きの所定の傾斜角度を有する平板状の傾斜部を具え、第1遮光板(56)の配列と第２遮光板(64)の配列に所定の位相差が設けられて、前記ランプユニット(４)から前記排気孔(15)に向けて放射される全方位の光が該遮光機構(９)によって遮られることを特徴とするプロジェクタ装置。
【請求項２】
前記第１遮光板(56)及び第２遮光板(64)はそれぞれ、前記壁面に開設された通気孔を横切る長さに形成されている請求項１に記載の液晶プロジェクタ装置。
【請求項３】
第1遮光板(56)及び第２遮光板(64)はそれぞれ、前記傾斜部に沿って伸びると共に前記壁面と略平行な平板状の平行部を具えている請求項１又は請求項２に記載のプロジェクタ装置。
【請求項４】
前記第１の遮光部材(55)は、ランプユニット(４)を収容するホルダー(５)に設けられ、該ホルダー(５)は中央開口を有する枠状の側壁を具え、該側壁の中央開口に跨って前記第1遮光板(56)が架設され、前記第２の遮光部材(６)は、枠体(60)の中央開口(63)内に保持され、該枠体(60)の中央開口(63)に跨って前記第２遮光板(64)が架設されている請求項１乃至請求項３の何れかに記載のプロジェクタ装置。
【請求項５】
前記第1遮光板(56)の長手方向の両端部には、前記傾斜部の両端縁から略垂直に突出して前記ホルダー(５)の側壁(53)に至る側壁部(59)(59)が形成され、前記第２遮光板(64)の長手方向の両端部には、前記傾斜部の両端縁から略垂直に突出して前記枠体(60)に至る側壁部(67)(67)が形成されている請求項４に記載のプロジェクタ装置。
【発明の詳細な説明】
【技術分野】
【０００１】
本発明は、光源からの光を光学系に導いて映像を生成し、前方のスクリーンへ拡大投射するプロジェクタ装置に関するものである。
【背景技術】
【０００２】
プロジェクタ装置は、ケーシング内に、映像を生成するための光学ユニットと、該光学ユニットの光源としてランプユニットを具えている。ランプユニットは発光時に発熱し、ランプユニットの温度が限界温度を超えると、ランプユニットの寿命が短くなるため、冷却風によりランプユニットを空冷している。
【０００３】
図１５に示す様に、ランプユニット(４)はホルダー(71)内に収容されており、該ホルダー(71)には、ホルダー内部(71)でランプユニット(４)を冷却した後の温風をホルダー(71)外部に排出するための空気孔(72)が設けられている。又、前記ケーシングには、ホルダー(71)内から排出された温風を外部に排出するための排気孔が設けられている。
【０００４】
ホルダー(71)の空気孔(72)とケーシングの排気孔とは、ホルダー(71)内部の温風を迅速に外部に排出するために、互いに近接して配置されている。従来のプロジェクタ装置では、ランプユニット(４)からの光がホルダー(71)の空気孔(72)を通過して前記ケーシングの排気孔から外部に漏れることを防ぐため、ホルダー(71)と前記ケーシングの間に、図１３に示す様に、ホルダー(71)の空気孔(72)の開口面に対して傾斜した遮光板(73)を配置する方法や、図１４に示す様に、ホルダーの空気孔(72)の内周面を傾斜させる方法が採用されていた(特許文献１参照)。
【特許文献１】特開２００５−２７４７３０号公報  [G03B 21/16]
【発明の開示】
【発明が解決しようとする課題】
【０００５】
しかしながら、上記の様な方法では、ランプユニット(４)からの出射光のうち、図１３と図１４に破線矢印で示す光を遮ることが出来ず、ケーシングの排気孔からランプユニット(４)の光が漏れることを完全に防ぐことが出来なかった。
そこで、本発明の目的は、ランプユニットの出射光がケーシングの通気孔を経てケーシング外部に漏れることを確実に防止することが出来るプロジェクタ装置を提供することである。
【課題を解決するための手段】
【０００６】
本発明に係るプロジェクタ装置は、ケーシング(１)内に、ランプユニット(４)と、該ランプユニット(４)を光源として映像光を生成し、生成した映像光をスクリーンに向けて投射する光学系とを具え、前記ケーシング(１)の壁面には、ランプユニット(４)と対向して、通気孔が開設されている。
【０００７】
前記ランプユニット(４)が対向するケーシング(１)の壁面には、前記通気孔を覆って遮光機構(９)が設置されており、該遮光機構(９)は、前記通気孔の貫通方向に互いに近接して配置された第１遮光部材(55)と第２遮光部材(６)から構成されている。
第１遮光部材(55)は、前記通気孔の貫通方向と略直交して同一方向へ伸びる複数枚の第1遮光板(56)を一定のピッチで配列し、これら第1遮光板(56)の間隙に空気通路を形成して構成されている。
一方、第２遮光部材(６)は、前記第１遮光板(56)と同一方向に伸びる複数枚の第２遮光板(64)を前記第１遮光板(56)と同一のピッチで配列し、これら第２遮光板(64)の間隙に空気通路を形成して構成されている。
【０００８】
各第1遮光板(56)は、前記壁面に対して所定の傾斜角度を有する平板状の傾斜部を具える一方、各第２遮光板(64)は、前記壁面に対して前記第1遮光板(56)の傾斜部とは逆向きの所定の傾斜角度を有する平板状の傾斜部を具えている。
そして、第1遮光板(56)の配列と第２遮光板(64)の配列に所定の位相差が設けられて、前記ランプユニット(４)から前記排気孔(15)に向けて放射される全方位の光が該遮光機構(９)によって遮られる。
【０００９】
上記本発明に係るプロジェクタ装置において、遮光機構(９)では、複数のホルダー空気孔(54)及び複数の中間空気孔(62)が並設された方向の一端部側に進む光が各第１遮光板(56)により遮られ、一方、複数のホルダー空気孔(54)及び複数の中間空気孔(62)が並設された方向の他端部側に進む光が各第２遮光板(64)により遮られる。従って、遮光機構(９)からは、複数のホルダー空気孔(54)及び複数の中間空気孔(62)が並設された方向の一端部側及び他端部側から光が漏れることがない。
【００１０】
又、遮光機構(９)内の光は、第１遮光板(56)によって第１遮光板(56)の間隙から漏れることが阻止され、第１遮光板(56)の間隙を通過した光は、第２遮光板(64)により第２遮光板(64)の間隙に向けて進むことを阻止され、更に、第２遮光板(64)によって、第２遮光板(64)の間隙から漏れることが阻止される。従って、遮光機構(９)の内側の光が外部に漏れることがない。
【００１１】
更に具体的構成において、前記第１遮光板(56)及び第２遮光板(64)はそれぞれ、前記壁面に開設された通気孔を横切る長さに形成されており、第1遮光板(56)及び第２遮光板(64)はそれぞれ、前記傾斜部に沿って伸びると共に前記壁面と略平行な平板状の平行部を具えている。
【００１２】
更に具体的構成において、前記第１の遮光部材(55)は、ランプユニット(４)を収容するホルダー(５)に設けられ、該ホルダー(５)は中央開口を有する枠状の側壁(53)を具え、該側壁(53)の中央開口に跨って前記第1遮光板(56)が架設され、前記第２の遮光部材(６)は、枠体(60)の中央開口(63)内に保持され、該枠体(60)の中央開口(63)に跨って前記第２遮光板(64)が架設されている。
【００１３】
更に具体的構成において、前記第1遮光板(56)の長手方向の両端部には、前記傾斜部の両端縁から略垂直に突出して前記ホルダー(５)の側壁(53)に至る側壁部(59)(59)が形成され、前記第２遮光板(64)の長手方向の両端部には、前記傾斜部の両端縁から略垂直に突出して前記枠体(60)に至る側壁部(67)(67)が形成されている。
【００１４】
該具体的構成では、第1遮光板(56)及び第２遮光板(64)の長手方向の両端部からも、光が漏れることがない。
【発明の効果】
【００１５】
本発明に係るプロジェクタ装置によれば、ランプユニットからの出射光がケーシングの排気孔を経て外部に漏れることを確実に防止することが出来る。
【発明を実施するための最良の形態】
【００１６】
以下、本発明を液晶プロジェクタ装置に実施した形態につき、図面に沿って具体的に説明する。該液晶プロジェクタは、図１に示す如く下半ケース(11)及び上半ケース(12)からなる扁平なケーシング(１)を具え、該ケーシング(１)の前面パネル(13)には、投射窓(14)が開設されている。又、図２に示す様に、後面パネル(17)には排気孔(15)として使用される通気孔が開設されている。
ケーシング(１)の内部には、図３に示す様に、カラー映像光を生成するための光学ユニット(２)と、光学ユニット(２)の光源となるランプユニット(４)とを具えている。尚、ランプユニット(４)は、外側ホルダー(７)内に収容されている。
【００１７】
光学ユニット
図４に示す如く、光学ユニット(２)において、ランプユニット(４)から第１フィールドミラー(21)に入射した白色光は、第１フィールドミラー(21)により反射されて第１ダイクロイックミラー(22)に入射する。第１ダイクロイックミラー(22)では、赤色光と緑色光が反射され、青色光のみが第１ダイクロイックミラーミラー(22)を通過する。第１ダイクロイックミラー(22)を通過した青色光は、第２フィールドミラー(23)に入射し、第２フィールドミラー(23)により反射されて色合成装置(３)へ入射する。
【００１８】
又、第１ダイクロイックミラー(22)により反射された赤色光と緑色光は、第２ダイクロイックミラー(27)へ入射する。第２ダイクロイックミラー(27)では緑色光が反射され、第２ダイクロイックミラー(27)により反射された緑色光は、色合成装置(３)へ入射する。
【００１９】
又、第２ダイクロイックミラー(27)に入射した赤色光は、第２ダイクロイックミラー(27)を通過し、第３フィールドミラー(26)及び第４フィールドミラー(25)に反射されて色合成装置(３)へ入射する。
【００２０】
色合成装置
色合成装置(３)は、色合成プリズム(30)、赤色映像生成ユニット(31)、緑色映像生成ユニット(33)及び青色映像生成ユニット(32)を具え、赤色映像生成ユニット(31)、緑色映像生成ユニット(33)及び青色映像生成ユニット(32)はそれぞれ、色合成プリズム(30)側から順次、出射側偏光板、液晶パネル及び入射側偏光板を配設して構成されている。
【００２１】
光学ユニット(２)から色合成装置(３)に入射した赤色光、緑色光及び青色光はそれぞれ、赤色映像生成ユニット(31)、緑色映像生成ユニット(33)及び青色映像生成ユニット(32)を透過して色合成プリズム(30)に入射する。
【００２２】
色合成プリズム(30)に導かれた３色の映像光は、色合成プリズム(30)により合成され、これによって得られる映像光が、投射レンズ(20)を経て前方のスクリーンへ拡大投射される。
【００２３】
ランプユニット
ランプユニット(４)を内部に収容する外側ホルダー(７)は、図２に示す様に、ケーシング(１)の後面パネル(17)に設けられた排気孔の近傍に配置されている。外側ホルダー(７)内には、図５と図６に示す様に、内側ホルダー(５)に保持されたランプユニット(４)が収容されており、該ランプユニット(４)は、発光管(42)と、該発光管(42)を包囲する放物曲面状のリフレクタ(41)とを有している。ランプユニット(４)としては、例えば、メタルハライドランプや超高圧水銀ランプ等の放電発光型のランプを用いることが出来る。
【００２４】
図９に示す様に、内側ホルダー(５)は、外形が矩形状に形成された前方壁(50)と、該前方壁(50)の周縁の３辺にそれぞれ略直交する第１側壁(51)、第２側壁(52)及び第３側壁(53)とから構成されている。図５に示す様に、内側ホルダー(５)の前方壁(50)は、ランプユニット(４)の光出射方向に配置されており、該前方壁(50)には、ランプユニット(４)からの光を通過させるための光出射孔(49)が開設されている。
【００２５】
図７に示す様に、内側ホルダー(５)の第１側壁(51)、第２側壁(52)及び第３側壁(53)は、ランプユニット(４)のリフレクタ(41)の側部を囲んでいる。内側ホルダー(５)の第３側壁(53)は、ランプユニット(４)と前記ケーシング(１)の排気孔(15)の間に配置され、前記ケーシング(１)の排気孔(15)が設けられた後面パネル(17)に対向している。
【００２６】
図９に示す様に、内側ホルダー(５)の第３側壁(53)は、中央開口を具えた枠状に形成されている。該中央開口内には第１遮光部材(55)が形成されており、該第１遮光部材(55)には、ホルダー空気孔(54)が複数(図９の例では５個)開設されている。各ホルダー空気孔(54)の貫通方向(Ｘ方向)は、前記ケーシング(１)の排気孔(15)の貫通方向と略平行であり、各ホルダー空気孔(54)は、内側ホルダー(５)の内部と前記ケーシング(１)の排気孔(15)間の空気通路を構成することとなる。又、各ホルダー空気孔(54)の開口面(Ｙ-Ｚ面)は、前記ケーシング(１)の排気孔(15)が設けられた後面パネル(17)に平行である。
【００２７】
各ホルダー空気孔(54)は、幅広の矩形状に形成されており、各ホルダー空気孔(54)の幅方向は、ランプユニット(４)の前方壁(50)と垂直方向(Ｚ方向)に伸びている。又、各ホルダー空気孔(54)の幅は、前記ケーシング(１)の排気孔(15)を横切る長さに形成されている。
複数のホルダー空気孔(54)は、各ホルダー空気孔(54)の幅方向(Ｚ方向)と略直交する方向(Ｙ方向)に略等間隔に並設されている。
【００２８】
更に、第１遮光部材(55)には、複数(図９の例では５個)の第１遮光板(56)が設けられている。各第１遮光板(56)は、互いに隣り合うホルダー空気孔(54)(54)の間、或いはホルダー空気孔(54)と内側ホルダー(５)の第１側壁(51)との間に、ホルダー空気孔(54)の開口面(Ｙ-Ｚ面)と略平行な平行部(57)を有している。各第１遮光板(56)の平行部(57)は、各ホルダー空気孔(54)の幅方向(Ｚ方向)の全域に亘って形成されている。
【００２９】
又、各第1遮光板(56)は、平行部(57)から内側ホルダー(５)の内側に向けて突出した平板矩形状の傾斜部(58)を具えている。各第１遮光板(56)の傾斜部(58)の突出方向は、各ホルダー空気孔(54)の開口面(Ｙ-Ｚ面)から所定角度をもって傾斜しており、傾斜部(58)の突出方向と直交する方向の寸法(幅寸法)は一定である。
【００３０】
各ホルダー空気孔(54)は、内側ホルダー(５)の内側で各第１遮光板(56)の傾斜部(58)により覆われており、各ホルダー空気孔(54)の開口面(Ｙ-Ｚ面)と各第１遮光板(56)の傾斜部(58)間の距離は、各ホルダー空気孔(54)の幅方向(Ｚ方向)と直交する方向(Ｙ方向)の一端側から他端側に向けて拡大している。
【００３１】
各ホルダー空気孔(54)の幅方向(Ｚ方向)の両側には、各ホルダー空気孔(54)の外周から内側ホルダー(５)内に向けて垂直に突出した一対の側壁部(59)(59)が設けられており、一対の側壁部(59)(59)の先端は、各第１遮光板(56)の幅方向の両端に連結されている。
【００３２】
内側ホルダー(５)の第３側壁(53)は、前記外側ホルダー(７)から露出している。図２に示す様に、内側ホルダー(５)の第３側壁(53)に形成された第１遮光部材(55)と、前記ケーシング(１)の排気孔(15)が設けられた後面パネル(17)との間には、第２遮光部材(６)が配置されている。
【００３３】
図１２に示す様に、第１遮光部材(55)と第２遮光部材(６)とは、第１遮光部材(55)のホルダー空気孔(54)の貫通方向(Ｘ方向)に互いに近接して配置され、第１遮光部材(55)と第２遮光部材(６)により遮光機構(９)が構成されている。
【００３４】
図１０に示す様に、該第２遮光部材(６)は、金属板から構成されており、中央開口(63)を有する枠体(60)の内側に保持されている。第２遮光部材(６)には、複数(図１０の例では５個)の中間空気孔(62)が設けられており、各中間空気孔(62)の貫通方向(Ｘ方向)は、前記ホルダー空気孔(54)の貫通方向(Ｘ方向)と平行に配置されている。各中間空気孔(62)は、前記ホルダー空気孔(54)と前記ケーシング(１)の排気孔(15)間の空気通路を構成する。
【００３５】
又、各中間空気孔(62)は、幅広の矩形状に形成されており、各中間空気孔(62)の幅は、前記ケーシング(１)の排気孔(15)を横切る長さに形成されている。複数の中間空気孔(62)は、各中間空気孔(62)の幅方向(Ｚ方向)と略直交する方向(Ｙ方向)に並設されており、図１２に示す様に、複数の中間空気孔(62)の並設方向は、複数のホルダー空気孔(54)の並設方向(Ｙ方向)と平行である。又、複数の中間空気孔(62)の並設間隔は、複数のホルダー空気孔(54)の並設間隔と略同じである。
尚、図１０に示す遮光部材(６)では、複数の中間空気孔(62)のうち、並設方向(Ｙ方向)の片側に配置された中間空気孔(62)は、枠体(60)の前記中央開口(63)に連結されている。
【００３６】
又、第２遮光部材(６)には、複数(図１０の例では５個)の第２遮光板(64)が設けられている。各第２遮光板(64)は、互いに隣り合う中間空気孔(62)(62)の間、或いは中間空気孔(62)と遮光部材(６)の枠体(60)との間に、中間空気孔(62)の開口面(Ｙ-Ｚ面)と略平行な平行部(65)を有している。各第２遮光板(64)の平行部(65)は、各中間空気孔(62)の幅方向(Ｚ方向)の全域に亘って形成されている。
【００３７】
図１２に示す様に、各第２遮光板(64)の平行部(65)は、各第１遮光板(56)の平行部(57)と略平行に配置されており、複数の第２遮光板(64)の平行部(65)は、複数の第１遮光板(56)の平行部(57)と略同じ間隔で並設されている。
【００３８】
各第２遮光板(64)は、平行部(65)から第１遮光部材(55)側に向けて突出した平板矩形状の傾斜部(66)を具えている。各第２遮光板(64)の傾斜部(66)は、各中間空気孔(62)の開口面(Ｙ-Ｚ面)から所定角度をもって傾斜すると共に、各第１遮光板(56)の傾斜部(58)が平行部(57)から伸びる方向と略直交する方向に傾斜している。
【００３９】
傾斜部(66)の突出方向と直交する方向の寸法(幅寸法)は一定であり、各第２遮光板(64)は、各中間空気孔(62)を覆うと共に、各ホルダー空気孔(54)を覆っている。又、各第２遮光板(64)の突出方向と直交する方向の両端部は、各中間空気孔(62)の幅方向(Ｚ方向)の両側から突出した一対の側壁部(67)(67)に連結されている。
【００４０】
各第１遮光板(56)の平行部(57)と各第２遮光板(64)の平行部(65)とは、第１遮光部材(55)と第２遮光部材(６)の配設方向(Ｘ方向)について、一部のみが重なる様に位相差を設けて配置されており、互いに隣り合う第１遮光板(56)(56)の平行部(57)(57)には、互いに隣り合う第２遮光板(64)(64)の傾斜部(66)(66)の先端が近接して配置されている。
【００４１】
この様な遮光機構(９)では、各ホルダー空気孔(54)は、前記ランプユニット(４)側で第１遮光板(56)に覆われると共に、第２遮光部材(６)側で第２遮光板(64)により覆われている。一方、各ホルダー空気孔(54)は、互いに隣り合う第２遮光板(64)(64)の傾斜部(66)(66)の間に配置されている。
【００４２】
図２に示す様に、遮光部材(６)と前記ケーシング(１)の排気孔(15)が設けられた後面パネル(17)との間には、内側ホルダー(５)内の空気を吸い出してケーシング(１)の排気孔(15)から外部に排出するための排気ファン装置(８)が配置されている。
【００４３】
ランプユニット(４)は発光時に発熱するので、冷却ファン装置(図示省略)から内側ホルダー内(５)内に空気流を送り込み、該空気流によりランプユニット(４)を冷却している。ランプユニット(４)を冷却した後の空気は熱せられるので、図８に示す様な排気ファン装置(８)の排気ファン(80)を回転させることにより内側ホルダー(５)内の空気を排気ファン装置(８)側へ吸い出している。
【００４４】
内側ホルダー(５)の内部と排気ファン装置(８)との間には、図１２に示す様に、空気通路となる複数のホルダー空気孔(54)と複数の中間空気孔(62)が設けられている。
各ホルダー空気孔(54)は各第１遮光板(56)により覆われているが、各第１遮光板(56)は、各ホルダー空気孔(54)の開口面に対して傾斜しており、各ホルダー空気孔(54)を塞ぐことなく各ホルダー空気孔(54)を覆っているので、内側ホルダー(５)内の空気は、第１遮光板(56)に遮られることなく、ホルダー空気孔(54)を通過することが出来る。
【００４５】
又、各ホルダー空気孔(54)は各第２遮光板(64)によっても覆われているが、各ホルダー空気孔(54)は、互いに隣り合う第２遮光板(64)(64)の傾斜部(66)の間に配置されているので、各ホルダー空気孔(54)を通過した空気は、第２遮光板(64)に遮られることなく、中間空気孔(62)へ向かう。
【００４６】
更に、各中間空気孔(62)は各第２遮光板(64)により覆われているが、各第２遮光板(64)は、各中間空気孔(62)の開口面に対して傾斜しており、各中間空気孔(62)を塞ぐことなく各中間空気孔(62)を覆っているので、ホルダー空気孔(54)を通過した空気は、第２遮光板(64)に遮られることなく、中間空気孔(62)を通過することが出来る。
【００４７】
この様に、内側ホルダー(５)内の空気を外部に排出するために必要な排気経路が確保され、第１及び第２遮光板(56)(64)の設置によっても排気ファン(80)の回転を上昇させる必要がない。従って、排気ファン(80)の回転による騒音が抑えられる。
【００４８】
ところで、図１１に示す様に、ケーシング(１)の排気孔(15)からは、排気ファン装置(８)を介して前記遮光機構(９)を構成する第２遮光部材(６)が露出している。図８に示す様に、該第２遮光部材(６)の内側にはランプユニット(４)が位置しているが、ランプユニット(４)の出射光が第２遮光部材(６)から漏れることはない。
【００４９】
以下、図１２によって遮光機構(９)によってランプユニット(４)の出射光が遮られることについて説明する。
ここでは、複数のホルダー空気孔(54)及び複数の中間空気孔(62)の並設方向に平行な方向(Ｙ方向)を遮光機構(９)の水平軸方向として定義し、又、各ホルダー空気孔(54)及び各中間空気孔(62)の貫通方向に平行な方向(Ｘ方向)を遮光機構(９)の垂直軸方向として定義している。
【００５０】
ランプユニット(４)の発光時において、遮光機構(９)内では、第１遮光板(56)によって、遮光機構(９)の水平軸方向の一端部側(Ｙ方向プラス側)に進む光が遮られ、一方、第２遮光板(64)によって、遮光機構(９)の水平軸方向の他端部側(Ｙ方向マイナス側)に進む光が遮られる。従って、遮光機構(９)からは、遮光機構(９)の水平軸方向の一端部側及び他端部側からランプユニット(４)の出射光が漏れることはない。
【００５１】
更に、各第１遮光板(56)は内側ホルダー(５)の内側で各ホルダー空気孔(54)を覆っており、ランプユニット(４)の出射光(図中矢印ａ)が各ホルダー空気孔(54)から漏れることを阻止している。又、各第２遮光板(64)は、第２遮光部材(６)側で各ホルダー空気孔(54)を覆っており、各ホルダー空気孔(54)を通過したランプユニット(４)の出射光(図中矢印ｂ)が中間空気孔(62)側に進むことを阻止している。更に、各第２遮光板(64)は、各中間空気孔(62)を覆っており、各中間空気孔(62)からランプユニット(４)の出射光(図中矢印ｃ)が漏れることを阻止している。この様に、遮光機構(９)からは、遮光機構(９)の垂直軸方向の端部(第２遮光部材(６))からランプユニット(４)の出射光が漏れることはない。
【００５２】
又、遮光機構(９)においては、各ホルダー空気孔(54)及び各中間空気孔(62)の幅方向(Ｚ方向)の両端部に進む光が、各ホルダー空気孔(54)の両側に設けられた一対の側壁部(59)(59)と、各中間空気孔(62)の両側に設けられた一対の側壁部(67)(67)により遮られる。従って、遮光機構(９)のいずれの方向からも、ランプユニット(４)の出射光が漏れることはない。
【００５３】
尚、本発明の各部構成は上記実施の形態に限らず、特許請求の範囲に記載の技術的範囲内で種々の変形が可能である。例えば、ホルダー空気孔(54)と中間空気孔(62)の個数及び第１遮光板(56)と第２遮光板(64)の数は任意であり、第１遮光板(56)は第２遮光部材(６)側に向けて突出していてもよく、又、第２遮光板(64)がケーシング(１)の排気孔(15)側に突出していてもよい。
【００５４】
又、上記実施の形態では、ホルダー空気孔(54)と中間空気孔(62)を、内側ホルダー(５)内の空気を排出するための排気孔として利用しているが、ホルダー空気孔(54)と中間空気孔(62)は、外部の空気を吸い込むための吸気孔としても利用可能である。このとき、上記実施の形態ではケーシング(１)の排気孔(15)として使用したケーシング(１)の通気孔を吸気孔として利用することとなる。又、排気ファン装置(８)を省略した構成も採用可能である。
【図面の簡単な説明】
【００５５】
【図１】本発明に係る液晶プロジェクタ装置の全体斜視図である。
【図２】図１に示す液晶プロジェクタ装置の背面図である。
【図３】該液晶プロジェクタに装備されているランプユニット及び光学ユニットの配置を示す平面図である。
【図４】該液晶プロジェクタに装備されているランプユニット及び光学ユニットの構成を示す平面図である。
【図５】内側ホルダーに収容されたランプユニットの側面図である。
【図６】内側ホルダーに収容されたランプユニットの背面図である。
【図７】ランプユニット、内側ホルダー、遮光部材及び排気ファン装置の全体斜視図である。
【図８】ランプユニット、内側ホルダー、遮光部材及び排気ファン装置の分解斜視図である。
【図９】内側ホルダーの斜視図である。
【図１０】遮光部材の斜視図である。
【図１１】排気ファン装置の背面図である。
【図１２】遮光機構内での光の進路を説明する図である。
【図１３】従来の他の液晶プロジェクタ装置のホルダー内部からケーシングの外部へと向かう光の進路を説明する図である。
【図１４】従来の更に他の液晶プロジェクタ装置においてホルダー内部からケーシングの外部へと向かう光の進路を説明する図である。
【図１５】従来の液晶プロジェクタ装置においてホルダー内部に収容されたランプユニットの側面図である。
【符号の説明】
【００５６】
(１)  ケーシング
(15)  排気孔
(４)  ランプユニット
(５)  内側ホルダー
(54)  ホルダー空気孔
(55)  第１遮光部材
(56)  第１遮光板
(57)  平行部
(58)  傾斜部
(59)  側壁部
(６)  第２遮光部材
(62)  中間空気孔
(64)  第２遮光板
(65)  平行部
(66)  傾斜部
(67)  側壁部
(８)  排気ファン装置
(９)  遮光機構
【図１】
2007298892.tif 000003
【図２】
2007298892.tif 000004
【図３】
2007298892.tif 000005
【図４】
2007298892.tif 000006
【図５】
2007298892.tif 000007
【図６】
2007298892.tif 000008
【図７】
2007298892.tif 000009
【図８】
2007298892.tif 000010
【図９】
2007298892.tif 000011
【図１０】
2007298892.tif 000012
【図１１】
2007298892.tif 000013
【図１２】
2007298892.tif 000014
【図１３】
2007298892.tif 000015
【図１４】
2007298892.tif 000016
【図１５】
2007298892.tif 000017
【手続補正書】
【提出日】平成19年6月19日(2007.6.19)
【手続補正１】
【補正対象書類名】特許請求の範囲
【補正対象項目名】全文
【補正方法】変更
【補正の内容】
【特許請求の範囲】
【請求項１】
ケーシング(１)内に、ランプユニット(４)と、該ランプユニット(４)を光源として映像光を生成し、生成した映像光をスクリーンに向けて投射する光学系とを具え、前記ケーシング(１)の壁面には、ランプユニット(４)と対向して、通気孔が開設されているプロジェクタ装置において、
前記ランプユニット(４)が対向するケーシング(１)の壁面には、前記通気孔を覆って遮光機構(９)が設置され、該遮光機構(９)は、前記通気孔の貫通方向に互いに近接して配置された第１遮光部材(55)と第２遮光部材(６)から構成され、第１遮光部材(55)は、前記通気孔の貫通方向と略直交して同一方向へ伸びる複数枚の第1遮光板(56)を一定のピッチで配列し、これら第1遮光板(56)の間隙に空気通路を形成して構成され、第２遮光部材(６)は、前記第１遮光板(56)と同一方向に伸びる複数枚の第２遮光板(64)を前記第１遮光板(56)と同一のピッチで配列し、これら第２遮光板(64)の間隙に空気通路を形成して構成され、各第1遮光板(56)は、前記壁面に対して所定の傾斜角度を有する平板状の傾斜部を具える一方、各第２遮光板(64)は、前記壁面に対して前記第1遮光板(56)の傾斜部とは逆向きの所定の傾斜角度を有する平板状の傾斜部を具え、第1遮光板(56)の配列と第２遮光板(64)の配列に所定の位相差が設けられて、前記ランプユニット(４)から前記通気孔に向けて放射される全方位の光が該遮光機構(９)によって遮られることを特徴とするプロジェクタ装置。
【請求項２】
前記第１遮光板(56)及び第２遮光板(64)はそれぞれ、前記壁面に開設された通気孔を横切る長さに形成されている請求項１に記載のプロジェクタ装置。
【請求項３】
第1遮光板(56)及び第２遮光板(64)はそれぞれ、前記傾斜部に沿って伸びると共に前記壁面と略平行な平板状の平行部を具えている請求項１又は請求項２に記載のプロジェクタ装置。
【請求項４】
前記第１の遮光部材(55)は、ランプユニット(４)を収容するホルダー(５)に設けられ、該ホルダー(５)は中央開口を有する枠状の側壁(53)を具え、該側壁(53)の中央開口に跨って前記第1遮光板(56)が架設され、前記第２の遮光部材(６)は、枠体(60)の中央開口(63)内に保持され、該枠体(60)の中央開口(63)に跨って前記第２遮光板(64)が架設されている請求項１乃至請求項３の何れかに記載のプロジェクタ装置。
【請求項５】
前記第1遮光板(56)の長手方向の両端部には、前記傾斜部の両端縁から略垂直に突出して前記ホルダー(５)の側壁(53)に至る側壁部(59)(59)が形成され、前記第２遮光板(64)の長手方向の両端部には、前記傾斜部の両端縁から略垂直に突出して前記枠体(60)に至る側壁部(67)(67)が形成されている請求項４に記載のプロジェクタ装置。
【手続補正２】
【補正対象書類名】明細書
【補正対象項目名】０００８
【補正方法】変更
【補正の内容】
【０００８】
各第1遮光板(56)は、前記壁面に対して所定の傾斜角度を有する平板状の傾斜部を具える一方、各第２遮光板(64)は、前記壁面に対して前記第1遮光板(56)の傾斜部とは逆向きの所定の傾斜角度を有する平板状の傾斜部を具えている。
そして、第1遮光板(56)の配列と第２遮光板(64)の配列に所定の位相差が設けられて、前記ランプユニット(４)から前記通気孔に向けて放射される全方位の光が該遮光機構(９)によって遮られる。
【手続補正３】
【補正対象書類名】明細書
【補正対象項目名】００１７
【補正方法】変更
【補正の内容】
【００１７】
光学ユニット
図４に示す如く、光学ユニット(２)において、ランプユニット(４)から第１フィールドミラー(21)に入射した白色光は、第１フィールドミラー(21)により反射されて第１ダイクロイックミラー(22)に入射する。第１ダイクロイックミラー(22)では、赤色光と緑色光が反射され、青色光のみが第１ダイクロイックミラー(22)を通過する。第１ダイクロイックミラー(22)を通過した青色光は、第２フィールドミラー(23)に入射し、第２フィールドミラー(23)により反射されて色合成装置(３)へ入射する。
【手続補正４】
【補正対象書類名】明細書
【補正対象項目名】００２３
【補正方法】変更
【補正の内容】
【００２３】
ランプユニット
ランプユニット(４)を内部に収容する外側ホルダー(７)は、図３に示す様に、ケーシング(１)の後面パネル(17)に設けられた排気孔の近傍に配置されている。外側ホルダー(７)内には、図５と図６に示す様に、内側ホルダー(５)に保持されたランプユニット(４)が収容されており、該ランプユニット(４)は、発光管(42)と、該発光管(42)を包囲する放物曲面状のリフレクタ(41)とを有している。ランプユニット(４)としては、例えば、メタルハライドランプや超高圧水銀ランプ等の放電発光型のランプを用いることが出来る。
【手続補正５】
【補正対象書類名】明細書
【補正対象項目名】００３２
【補正方法】変更
【補正の内容】
【００３２】
内側ホルダー(５)の第３側壁(53)は、前記外側ホルダー(７)から露出している。図３に示す様に、内側ホルダー(５)の第３側壁(53)に形成された第１遮光部材(55)と、前記ケーシング(１)の排気孔(15)が設けられた後面パネル(17)との間には、第２遮光部材(６)が配置されている。
【手続補正６】
【補正対象書類名】明細書
【補正対象項目名】００４２
【補正方法】変更
【補正の内容】
【００４２】
図３に示す様に、遮光部材(６)と前記ケーシング(１)の排気孔(15)が設けられた後面パネル(17)との間には、内側ホルダー(５)内の空気を吸い出してケーシング(１)の排気孔(15)から外部に排出するための排気ファン装置(８)が配置されている。
【手続補正７】
【補正対象書類名】図面
【補正対象項目名】図１５
【補正方法】変更
【補正の内容】
【図１５】
2007298892.tif 000018